(57)【要約】      （修正有）【課題】保護機能及び保形性を備えた頬パッドの着脱を容易とし、しかも、軽量、かつより有効な緩衝性能を備える。【解決手段】頬パッド３Ｒは、保形性及び緩衝性を有する緩衝部材と、緩衝部材に対して厚み方向で重ね合わせたクッション部材と、を備える。頬パッド３Ｒに対面する帽体１の右側部１Ｒの内側面１１の前方に、頬パッド３Ｒを着脱自在に係止する係止部材４Ｒを配置し、係止部材４Ｒに対して係脱自在に係合する係合体７を緩衝部材に固定する。係止部材４Ｒは、衝撃吸収ライナー２の前端縁２１と対向するとともに、帽体１の右側部４Ｒの内側面１２との間で前後方向に係脱する隙間８が確保されている。頬パッド３Ｒは、隙間８に対する係合体７の係合と、衝撃吸収ライナー２の前端縁２１に対する頬パッド３Ｒの後端縁３４の対面接触とにより、帽体１の右側部１Ｒの内側面１２に保持されている。【選択図】図１
2011084849.tif 000002
【特許請求の範囲】
【請求項１】
オープンフェースヘルメットの最外層をなす帽体の頭部の内側面に衝撃吸収ライナーを配し、前記帽体の左右側部の内側面に、ヘルメット着用者の頬部を保持する頬パッドを着脱自在に具備したオープンフェースヘルメットにおいて、
前記頬パッドは、保形性及び緩衝性を有する緩衝部材と、該緩衝部材に厚み方向で重ね合わせたクッション部材と、を備え、
前記頬パッドに対面する前記帽体の前記左右側部の内側面の前方に、前記頬パッドを着脱自在に係止する係止部材が配置され、前記緩衝部材に前記係止部材に対して係脱自在に係合する係合体が固定され、
前記係止部材は、前記衝撃吸収ライナーの前端縁と対向するとともに、前記係合体が前後方向に係脱する隙間を確保してなり、
前記頬パッドが前記隙間に対する前記係合体の係合と、前記衝撃吸収ライナーの前記前端縁に対する前記頬パッドの後端縁の対面接触とにより、前記帽体の前記左右側部の前記内側面に保持されていることを特徴とするオープンフェースヘルメット。
【請求項２】
前記係止部材は、その端部が前記帽体の縁部に係着される縁部材に保持されていることを特徴とする請求項１記載のオープンフェースヘルメット。
【請求項３】
前記係合体は、前記緩衝部材に厚み方向で貫通する連結部の一端に連結され、該連結部の他端に、前記係合体とで前記緩衝部材を挟持固定するように連結された保持体を有することを特徴とする請求項１又は２記載のオープンフェースヘルメット。
【請求項４】
前記頬パッドは、前記左右側部内側の全域と対面する形状とし、前記緩衝部材と前記クッション部材とにわたり貫通形成された顎紐通し孔を備えていることを特徴とする請求項１乃至３いずれか１項記載のオープンフェースヘルメット。
【発明の詳細な説明】
【技術分野】
【０００１】
本発明は、自動車や自動二輪車等の各種移動車両及びモーターボート等の船舶、更には、自転車等の移動機具に乗る際に、頭部及び顔面を保護するために被るオープンフェースヘルメットに関し、詳しくは、着用者の頬部を保護する頬パッドを着脱自在に備えたオープンフェースヘルメットに関する。
【背景技術】
【０００２】
オープンフェースヘルメットは、着用者の頬部を保護するとともに、良好な被り心地とするための頬パッドを着脱自在に備えたものが知られている。
【０００３】
下記特許文献１に記載のものは、保形性及び緩衝性を有する緩衝部材とクッション部材とを重ね合わせたパッド本体を、外装部材と薄板状の取付けプレートで包被した頬パッドを有している。この特許文献１の頬パッドの取付け構造は、取付けプレートに突設された複数の係合突起を、帽体の左右側部の内側面に取り付けられたベースプレートに開孔された複数の係合孔に対して、左右方向から係脱することで頬パッドを着脱自在に取り付けるようになっている。
【先行技術文献】
【特許文献】
【０００４】
【特許文献１】特開平０９−１７０１０９号公報
【発明の概要】
【発明が解決しようとする課題】
【０００５】
特許文献１の従来技術によると、着用者の頬部を保護する頬パッドを着脱自在に備えたオープンフェースヘルメットとすることができる。
【０００６】
特許文献１の頬パッドの取付け構造は、頬パッドを取り付けるベース部材と帽体の左右側部の内側面との間に、ベース部材に設けられた係合孔に係合する、頬パッドに設けられた係合突起の突出空間を確保している。この取付け構造におけるベース部材は、頬パッドと平面形状が同形状であるため、突出空間がベース部材のほぼ全域にわたり確保されている。
【０００７】
しかしながら、特許文献１の頬パッドは、前述の突出空間により、クッション部材の厚みがある程度犠牲になってしまう。また、特許文献１の取付け構造は、頬パッドの着脱時に、複数の係合突起を夫々に対応する係合孔に対して係脱させなければならないため、頬パッドの着脱に手間取るようなことがあった。
【０００８】
本発明は、このような問題に対処することを課題の一例とするものである。すなわち、ベース部材を不要として、クッション性と保形性を有する頬パッドを容易に着脱できるようにすること、ベース部材を不要とすることで、オープンフェースヘルメットの軽量化及びより有効な緩衝性能を備えること等、が本発明の目的である。
【課題を解決するための手段】
【０００９】
前記目的を達成するため、本発明によるオープンフェースヘルメットは、次の構成を少なくとも具備するものである。
【００１０】
オープンフェースヘルメットの最外層をなす帽体の頭部の内側面に衝撃吸収ライナーを配し、前記帽体の左右側部の内側面に、ヘルメット着用者の頬部を保持する頬パッドを着脱自在に具備したオープンフェースヘルメットにおいて、前記頬パッドは、保形性及び緩衝性を有する緩衝部材と、該緩衝部材に対して厚み方向で重ね合わせたクッション部材と、を備え、前記頬パッドに対面する前記帽体の前記左右側部の内側面の前方に、前記頬パッドを着脱自在に係止する係止部材が配置され、前記緩衝部材に前記係止部材に対して係脱自在に係合する係合体が固定され、前記係止部材は、前記衝撃吸収ライナーの前端縁と対向するとともに、前記係合体が前後方向に係脱する隙間を確保してなり、前記頬パッドが前記隙間に対する前記係合体の係合と、前記衝撃吸収ライナーの前記前端縁に対する前記頬パッドの後端縁の対面接触とにより、前記帽体の前記左右側部の前記内側面に保持されていることを特徴とする。
【発明の効果】
【００１１】
このような特徴を有することで本発明は以下の効果を奏する。すなわち、頬パッドを、係止部材の隙間に対する係合体の係合と、衝撃吸収ライナーの前端縁に対する頬パッドの後端縁の対面接触とにより保持するようにしたので、ベース部材を不要として、クッション性と保形性を有する頬パッドを容易に着脱できる。ベース部材を不要とすることで、オープンフェースヘルメットの軽量化及びより有効な緩衝性能を備えることができる。
【図面の簡単な説明】
【００１２】
【図１】オープンフェースヘルメットの全体構成図。
【図２】頬パッドの構成図であり、(ａ)はクッション部材側から見た斜視図、(ｂ)は緩衝部材側から見た斜視図。
【図３】図１の(３)-(３)線断面図であり、(ａ)は頬パッドの取付け状態を示し、(ｂ)は頬パッドの着脱状態を示す。
【図４】係止体と係止部材の斜視図。
【発明を実施するための形態】
【００１３】
本発明でいうオープンフェースヘルメットとは、着用者の頭部及び頬部を保護し、着用者の顔面の全てが露出するタイプのヘルメットであって、頭部のみを保護する半球タイプのヘルメットは含まない。また、例えば、特開平０７−１２６９０８号公報に開示されているように、オープンフェースタイプの帽体の前面開放部を、この帽体の左右両側部を支点として回動するシールドで覆い、かつこのシールドの軸支部に、前面開放部を横切って帽体の左右両側に跨がる顎ガードが回動・係止自在に取り付けられたオープンフェース、フルフェース両用型のヘルメットを含む。
【００１４】
本発明でいう帽体とは、オープンフェースヘルメットの最外層を構成するものであり、例えば、強化繊維材（ガラス繊維、カーボン繊維等）に、熱硬化性樹脂材（エポキシ樹脂材、フェノール樹脂材等）を含浸させた強化繊維樹脂材（ＧＦＲＰ、ＣＦＲＰ等）又は、熱可塑性樹脂材（ポリカーボネート等）を用いて、オープンフェースヘルメット形状に成型したものである。
【００１５】
本発明でいう衝撃吸収ライナーとは、衝撃吸収性能を有する素材(例えば、発泡スチロール材)、若しくは、この素材と同等の衝撃吸収性能を有する素材を用いて、帽体の内側面の、ＳＮＥＬＬ(スネル記念財団)やＪＩＳ(日本工業規格)で定める頭部(頭頂部、前頭部、後頭部、側頭部)の保護範囲に対応する形状に成形したものである。
【００１６】
本発明でいう緩衝部材とは、通常のオープンフェースヘルメットにおいて帽体の内側に装着される衝撃吸収ライナーと同素材（例えば、発泡スチロール材）、若しくは、この素材と同等の衝撃吸収性能を有する素材を用いて、帽体の内側面における、頬部の保護範囲に対応する形状に成形したものである。
【００１７】
本発明でいうクッション部材とは、例えば、発泡ウレタン材、若しくは、これと同等の柔軟性を有する素材を用いて、着用者の頬部の全域、若しくは、一部に接触する形状に成型したものである。
【００１８】
本発明の係止部材の取付け形態として、例えば、係止部材の端部を帽体の縁部に係着した縁部材で保持する形態を挙げることができる。
【００１９】
本発明の係合体の形態として、例えば、緩衝部材に厚み方向で貫通する連結部の一端に連結され、連結部の他端に、係合体とで緩衝部材を挟持固定するように連結された保持体を有した形態を挙げることができる。
【００２０】
本発明の頬パッドの形態として、左右側部の内側面の全域と対面する形状とし、緩衝部材とクッション部材とにわたり貫通形成された顎紐通し孔を備えている形態を挙げることができる。
【００２１】
以下、本発明によるオープンフェースヘルメット(以下「ヘルメット」という)の実施形態を図面に基づいて説明する。
【００２２】
図１は、ヘルメットＡの全体構成図である。ヘルメットＡは、強化繊維樹脂材（ＧＦＲＰ、ＣＦＲＰ等）でオープンフェース型に成型された帽体１の頭部１１の内側面に、発泡スチロール材、若しくは、この発泡スチロール材と同等の衝撃吸収性能を有する素材を用いて成型された衝撃吸収ライナー２と、衝撃吸収ライナー２の内側に配設されるウレタン材等でなる頭部パッド２０(図３参照)と、帽体１の頬部に対応する左右両側部１Ｌ，１Ｒの内側面１２に着脱自在に装着された頬パッド３Ｌ，３Ｒと、頬パッド３Ｌ、３Ｒを左右両側部１Ｌ、１Ｒに装着するための係止部材４Ｌ、４Ｒと、左右両側部１Ｌ、１Ｒに軸支された一対の顎紐５と、を具備している。
【００２３】
なお、左側部１Ｌと右側部１Ｒ、頬パッド３Ｌと頬パッド３Ｒ、係止部材４Ｌと係止部材４Ｒは、左右対称形、かつ同構成であるので、以下では、右側部１Ｒ、頬パッド３Ｒ、係止部材４Ｒを用いて説明する。
【００２４】
帽体１の縁部１３の全域には、この縁部１３を保護する縁部材６が係着されている。縁部材６は、ゴム材又は軟質の合成樹脂材等を用いて、縁部１３に対して帽体１の外側から内側にわたり跨ぐように嵌合係着可能な断面コ形（図３参照）、かつ縁部１３の全域に係着可能な長さに成型されたものである。
【００２５】
図２(ａ)(ｂ)は、頬パッド３Ｒの構成図である。頬パッド３Ｒは、衝撃吸収ライナー２と同素材を用いて成型した緩衝部材３０と、頭部頬パッド２０と同素材を用いて成型したクッション部材３１とを備え、これら緩衝部材３０とクッション部材３１とが外装部材３２により包被されている。
【００２６】
緩衝部材３０は、平面形状を帽体１の右側部１Ｒの内側面１２の形状に対応した形状として成型されている。緩衝部材３０の右側部１Ｒ側の面には、係止部材４Ｒに係脱自在に係合する係合体７が埋設固定されている。この緩衝部材３０には、顎紐５が挿通する顎紐通し孔３３が形成されている。
【００２７】
クッション部材３１は、平面形状を馬蹄形状として成型し、緩衝部材３０の着用者側の面に対して、顎紐通し孔３３を露出させるようにして重ね合わせて接着されている。
【００２８】
図３は、頬パッド３Ｒの右側部１Ｒの内側面１２に対する着脱形態を示す構成図、図４は、係合体７及び係止部材４Ｒの形態を示す構成図である。
【００２９】
係合体７は、緩衝部材３０に厚み方向で貫通する連結部７０の帽体１側の端部に連結されており、係止部材４Ｒに対して係合される係合片７１と、係合片７１に連設され、連結部７０に連結される固定片７２とから構成されている。この固定片７２は、緩衝部材３０の帽体１側の面に接着されている。連結部７０のクッション部材３１側の端部には、保持体７３が連結されており、この保持体７３は、緩衝部材３０のクッション部材３１側の面に接着されている。すなわち、連結部７０を緩衝部材３０に貫通させるとともに、保持体７３と固定片７２とで緩衝部材３０を挟持することにより、係合体７を緩衝部材３０に固定するようになっている。
【００３０】
このような係合体７及び連結部７０並びに保持体７３は、緩衝部材３０の衝撃吸収時において、容易に変形する程度の軟質の合成樹脂材を用いて一体成形されており、衝撃吸収時に係合体７及び連結部７０並びに保持体７３が変形することによって、着用者に対して影響を与えないようにすることができる。
【００３１】
係合体７及び連結部７０並びに保持体７３は、緩衝部材３０の衝撃吸収時において、容易に変形する程度に薄肉化して一体成形したものでもよい（図示せず）。また、係合体７及び連結部７０並びに保持体７３を、比較的変形し難い材料を用いて成形する場合には、連結部７０を、緩衝部材３０の厚み方向に対して帽体１の前方側又は後方側に２０°〜６０°の角度に傾かせることにより、連結部７０を衝撃吸収時に容易に変形するようにしてもよい（図示せず）。また、前述した容易に変形する程度の軟質の合成樹脂材、あるいは容易に変形する程度に薄肉化した合成樹脂材を用いた連結部７０を前述した角度で傾かせて、素材による変形性能と角度による変形性能とを持たせるようにしてもよい（図示せず）。
【００３２】
係止部材４Ｒは、比較的硬質の合成樹脂材を用いて、右側部１Ｒの内側面１２の前端から後方中途部までの側面形状に沿う形状に成形されている。係止部材４Ｒの後方側を除く縁部には、縁部材５と右側部１Ｒの内側面１２との間に挿入される挿入縁４０が形成されており、この挿入縁４０を縁部材５に接着することで、係止部材４Ｒが右側部１Ｒの内側面１２に保持されるようにしている。この係止部材４Ｒには、係合体７が係脱自在に係合する隙間８が形成されている。
【００３３】
隙間８は、帽体１の後方に向けて、衝撃吸収ライナー２の前端縁２１と対向するように形成されている。この隙間８の形状は、係合体７の断面形状とほぼ適合する形状である。このほぼ適合する形状とは、係合体７の係合状態において、隙間８の縁に係合体７の周囲がわずかに接触する形状であって、隙間８に係合している係合体７のガタツキが極めて少なく、しかも隙間８に対する係合体７の係脱がほぼ抵抗なく行える形状である。本発明における係合部８の形状は、前述の係合体７の断面形状とほぼ適合する形状に限られず、係合体７の係脱に多少の抵抗がある形状も含まれる。
【００３４】
本実施形態の係止部材４Ｒは、合成樹脂材を用いて、右側部１Ｒの内側面１２の前端を含む前方側の一部に適合する形状に形成されているため、右側部の全域にわたる大きさとした前述の従来のベース部材に比べてヘルメットＡの軽量化に有効である。また、頬パッド３Ｒを、右側部１Ｒの内側面１２の係止部材４Ｒを除く部位に対して接触状態として装着することができるため、頬パッド３Ｒにおける右側部１Ｒの内側面１２の係止部材４Ｒを除く部位に対面する部分を、少なくとも、右側部全域にわたる大きさとした前述の従来のベース部材の厚み分厚くすることができ、この厚くできる範囲中で、緩衝部材３０を厚くすることによって、ヘルメットＡの衝撃吸収性能をより良好にすることができる。
【００３５】
係止部材４Ｒの面積は、少なくとも、隙間８を確保でき、隙間８に係合する係合体７が挿入されるスペースを確保できる面積であればよいが、頬パッド３Ｒにおける緩衝部材３０の厚みを厚くする範囲の拡大や、ヘルメットＡの軽量化という点において、可能な限り小面積とすることが好ましい。係止部材４Ｒの形状は、本実施形態で例示した形状に限られず、右側部１Ｒの内側面１２の前方端側に対面する部位がなく、挿入縁４０を上下縁に設けた形状も含まれる(図示せず)。
【００３６】
係止部材４Ｒに対する頬パッド３Ｒの取付け形態は、図３(ａ)(ｂ)に示すように係合体７の係合片７１が全域にわたって隙間８に対して後方から前方に挿入状に係合され、この挿入状態において係合片７１の根元が隙間８周りの縁に後方から接触するとともに、衝撃吸収ライナー２の前端縁２１が頬パッド３Ｒの後端縁３４に対して接触した状態となるようにしている。また、この取付け状態では、顎紐５が顎紐通し孔３３に対して頬パッド３Ｒの右側部１Ｒ側から帽体１の内側に挿通されている。
【００３７】
本実施形態の頬パッド３Ｒの取付け形態では、隙間８に対する係合体７の後方からの適合挿入状の係合、及び頬パッド３Ｒの後端縁３４の衝撃吸収ライナー２の前端縁２１に対する対面接触により、頬パッド３Ｒの前後方向及び上下方向への移動が防止されている。すなわち、前後方向及び上下方向への移動の防止により、頬パッド３Ｒをガタツキなく取り付けることができるとともに、ヘルメットＡの着用時及び脱帽時において頬パッド３Ｒが外れてしまうことを防ぐことができる。また、前端縁２１に対する後端縁３４の接触圧は、ヘルメット１を通常の状態で持ち歩くときに左右方向へずれない程度であるとともに、人為的な力を加えることにより左右方向へずらすことができる程度であって、通常の状態で持ち歩く場合に頬パッド３Ｒが外れることはない。
【００３８】
頬パッド３Ｒの取外し方法は、先ず、頬パッド３Ｒの後端縁３４を帽体１の内側方向へずらし、後端縁３４の衝撃吸収ライナー２の前端縁２１に対する対面接触状態を解除する（図(ｂ)参照）。このとき、係合体７の先端が右側部１Ｒの内側面１２に接触してこの接触部分を支点とし、隙間８の頬パッド３Ｒ側の縁に対する係合体７の接触部分を作用点とする「てこ」の作用で隙間８を拡開する。すなわち、隙間８の拡開によるクリアランスにより、頬パッド３Ｒの後端縁３４を帽体１の内側方向へずらすことができる。そして、頬パッド３Ｒを斜め後方へずらして隙間８から係合体７を引き抜くことによって頬パッド３Ｒを取り外すことができる。
【００３９】
頬パッド３Ｒの取付け方法は、前述の取り外し方法の逆動作で行うことができる。すなわち、頬パッド３Ｒを取り外すときのような斜めの姿勢にして、係合体７を隙間８に向けて斜め前方に移動させる（図３(ｂ)参照）。そして、係合体７が隙間８に対して挿入状に係合した後、頬パッド３Ｒの後端縁３４を右側部１Ｒ方向に押し込んで、衝撃吸収ライナー２の前端縁２１に接触させることにより取り付けることができる。
【００４０】
本実施形態の係止部材４Ｒを用いたヘルメットＡに対する頬パッド３Ｒの着脱方法では、頬パッド３Ｒの後端縁３４を内側にずらす工程と、後方に移動させて隙間８から係合体７を抜き取る工程との２工程で頬パッド３Ｒを取り外し、係合体７を隙間８に挿し込む工程、頬パッド３Ｒの後方端を右側部１Ｒの内側面１１方向に押し込む工程との２工程で頬パッド３Ｒを取り付ける方法であるため、頬パッド３Ｒを容易、かつ迅速に着脱することができる。
【００４１】
本実施形態による頬パッド３Ｒの取付け方法では、頬パッド３Ｒの着脱時の姿勢である後端縁３４を帽体１の内側へずらした斜め姿勢の角度が小さいほど、隙間８に対する係合体７の係脱操作が行いやすい。そのため、隙間８の開孔位置を可能な限り前方として、頬パッド３Ｒの着脱時における斜めの姿勢の角度を小さくすることが好ましい。また、隙間８の開孔位置を前方にすることによって、係止部材４Ｒの面積を小さくすることができる。
【００４２】
以上のとおり、本実施形態によれば、保護機能及び保形性を備えた頬パッドの着脱を容易とし、しかも、軽量、かつより有効な緩衝性能を備えたヘルメットＡを提供することができる。
【００４３】
なお、本発明は、例示した実施の形態に限定するものではなく、特許請求の範囲の各項に記載された内容から逸脱しない範囲の構成による実施が可能である。
【符号の説明】
【００４４】
Ａ：ヘルメット(オープンフェースヘルメット)  １：帽体  ２：衝撃吸収ライナー
１Ｌ：左側部  １Ｒ：右側部  ３Ｌ：頬パッド  ３Ｒ：頬パッド  ４Ｌ：係止部材
４Ｒ：係止部材  ５：顎紐  ６：縁部材  ７：係合体  ８：隙間  １１：頭部
１２：内側面  １３：縁部  ２１：前端縁  ３０：緩衝部材  ３１：クッション部材
３２：顎紐通し孔  ３４：後端縁  ７０：連結部  ７３：保持体
【図１】
2011084849.tif 000003
【図２】
2011084849.tif 000004
【図３】
2011084849.tif 000005
【図４】
2011084849.tif 000006